(57)【要約】本発明は、リップ摺動面のトルク低下を防止しつつ、潤滑油の軸方向の流路を確保して安定的に流通させることができるバランスシャフト用フリクションダンパー（１）を提供することを課題とし、その課題は、エンジンのバランスシャフトの軸部（１００）と該軸部（１００）の外周に設けられたギア部（２００）との間の環状隙間（３００）に装着され、軸部（１００）の外周面（１０１）とギア部（２００）の内周面（２０１）とのいずれか一方に嵌着されて固定される嵌合面（１１ａ）を有する金属製の取付環（１０）と、取付環（１０）にゴム状弾性材料で成形され、軸部（１００）の外周面（１０１）とギア部（２００）の内周面（２０１）とのいずれか他方に対して密接されるリップ摺動面（２１ａ）を有する環状の弾性リング材（２０）とを備え、リップ摺動面（２１ａ）を除く位置であって、且つ、取付環（１０）と弾性リング材（２０）とに亘る位置及び又は取付環（１０）に、潤滑油が軸方向に流通することを許容する油流路部（３０）を形成することによって解決される。
2016035762.tif 000002
【特許請求の範囲】
【請求項１】
エンジンのバランスシャフトの軸部と該軸部の外周に設けられたギア部との間の環状隙間に装着され、前記軸部の外周面と前記ギア部の内周面とのいずれか一方に嵌着される嵌合面を有する金属製の取付環と、
前記取付環にゴム状弾性材料で成形され、前記軸部の外周面と前記ギア部の内周面とのいずれか他方に対して圧接されるリップ摺動面を有する環状の弾性リング材とを備えるバランスシャフト用フリクションダンパーにおいて、
前記リップ摺動面を除く位置であって、且つ、前記取付環と前記弾性リング材とに亘る位置、及び又は前記取付環に、潤滑油が軸方向に流通することを許容する油流路部を形成したことを特徴とするバランスシャフト用フリクションダンパー。
【請求項２】
前記取付環は、前記嵌合面を形成する軸方向に延びる円筒部と、前記円筒部の軸方向の一端から径方向に延びるように一体に形成された環状の鍔部とを有し、
前記油流路部は、前記リップ摺動面を除く前記弾性リング材と前記鍔部とに亘って軸方向に貫通するように形成された油流路孔であることを特徴とする請求項１記載のバランスシャフト用フリクションダンパー。
【請求項３】
前記油流路部は、前記取付環の前記嵌合面に形成された油流路溝であることを特徴とする請求項１記載のバランスシャフト用フリクションダンパー。
【発明の詳細な説明】
【技術分野】
【０００１】
本発明は、内燃機関のバランスシャフト用フリクションダンパーに関し、詳しくは、潤滑油の流通を妨げることなく、高い回転トルクを維持することができるバランスシャフト用フリクションダンパーに関する。
【背景技術】
【０００２】
内燃機関のバランスシャフト用フリクションダンパーは、レシプロエンジンの振動を抑制するバランスシャフトの軸部と、この軸部の外周に設けられたギア部とを接続する高い回転トルクを持つゴム部品である。フリクションダンパーが高いトルクを維持することにより、振動を吸収し、且つ、バランスシャフトの軸部がギア部に対して揺動する際は急激に作動してトルクを減衰させ、ギア部側に設けられている衝撃緩衝用のゴムバンパー部が破損することを防止している。【０００３】
逆にフリクションダンパーのトルクがゴムの劣化等により不足すると、ゴムダンパー部の破損、若しくはギア部が破損する不具合が発生することになるため、フリクションダンパーは、高いトルクを維持する必要がある。【０００４】
従来のバランスシャフト用フリクションダンパーの一例として、図６、図７を示す。図６はフリクションダンパーの一部切欠き俯瞰説明図、図７は図６のＣ−Ｃ線断面図である。【０００５】
この従来のフリクションダンパーは、ギア部の内周面に嵌着されて固定される金属製の取付環５０を外周側に備え、この取付環５０にゴム状弾性材料によって一体に成形された弾性リング材６０を内周側に備えている。弾性リング材６０の内周側にはリップ部６１を有しており、そのリップ部６１の内周面は、バランスシャフトの軸部の外周面に対して密接されるリップ摺動面６１ａとなっている。そして、弾性リング材６０のリップ摺動面６１ａには、ギア部周囲の潤滑油を軸方向に流通させるための複数の切欠き部７０が形成されている。【０００６】
また、特許文献１には、芯金の外周側に一体に設けられた弾性リング材を有するフリクションダンパーであって、弾性リング材の周方向複数個所に互いに間隔をおいて径方向外方へ突出する摺接部を一体に形成し、この摺接部の内部に空間を設けることにより、装着時に摺接部が容易に圧縮変形して、僅かな締め代で大きなフリクションが得られるようにすることが記載されている。
【先行技術文献】
【特許文献】
【０００７】
【特許文献１】実開昭６３−１８７７４８号公報
【発明の概要】
【発明が解決しようとする課題】
【０００８】
フリクションダンパーは潤滑油を封止してはならない。このため、図６、図７に示したフリクションダンパーでは、弾性リング材６０のリップ摺動面６１ａに、軸方向に潤滑油が流通することを許容する切欠き部７０を形成している。また、特許文献１では、径方向外方に突出する複数の摺接部の間が、軸方向に連通するため、この摺接部間によって潤滑油が軸方向に流通することが許容されるようになっている。【０００９】
しかしながら、従来のフリクションダンパーでは、潤滑油が弾性リング材に形成された切欠き部や摺接部の間の溝部を流れるため、フリクションダンパーに大きな回転トルクが加わって弾性リング材が相手部材に対して摺動した場合、潤滑油が切欠き部や溝部に介在する。従って、この潤滑油が、フリクションダンパーが摺動することで、切欠き部以外のリップ摺動面にも侵入するおそれがある。そして、弾性リング材のリップ摺動面に潤滑油が侵入すると、リップ摺動面とこれに密接される相手部材との間のフリクションが減少してトルクが低下してしまい、ギア部の回転トルクをバランスシャフトの軸部に、適正に伝達できなくなる問題がある。【００１０】
また、リップ摺動面は、相手部材に対して径方向に圧縮変形されることで所定のフリクションを得るようにしているため、圧縮変形時にリップ摺動面に形成された切欠き部や、溝部も同様に変形することで流路を狭めてしまい、潤滑油を軸方向に安定的に流通させることが困難となる問題もある。【００１１】
なお、特許文献１記載のフリクションダンパーは、隣り合う摺接部間の空間で、弾性リング材外周の軸方向の空間を潤滑油が流通する。この状態でフリクションダンパーを摺接部を圧縮変形させて装着しているが、摺接部の接触面積が少ないので、嵌合面とこれに密接される相手部材との間のフリクションが減少してトルクが低下してしまい、ギア部の回転トルクをバランスシャフトの軸部に、適正に伝達できなくなる可能性がある。【００１２】
そこで、本発明は、リップ摺動面のトルク低下を防止しつつ、潤滑油の軸方向の流路を確保して安定的に流通させることができるバランスシャフト用フリクションダンパーを提供することを課題とする。【００１３】
本発明の他の課題は、以下の記載により明らかとなる。
【課題を解決するための手段】
【００１４】
上記課題は、以下の各発明によって解決される。【００１５】
１．エンジンのバランスシャフトの軸部と該軸部の外周に設けられたギア部との間の環状隙間に装着され、前記軸部の外周面と前記ギア部の内周面とのいずれか一方に嵌着される嵌合面を有する金属製の取付環と、
前記取付環にゴム状弾性材料で成形され、前記軸部の外周面と前記ギア部の内周面とのいずれか他方に対して圧接されるリップ摺動面を有する環状の弾性リング材とを備えるバランスシャフト用フリクションダンパーにおいて、
前記リップ摺動面を除く位置であって、且つ、前記取付環と前記弾性リング材とに亘る位置及び又は前記取付環に、潤滑油が軸方向に流通することを許容する油流路部を形成したことを特徴とするバランスシャフト用フリクションダンパー。
２．前記取付環は、前記嵌合面を形成する軸方向に延びる円筒部と、前記円筒部の軸方向の一端から径方向に延びるように一体に形成された環状の鍔部とを有し、
前記油流路部は、前記リップ摺動面を除く前記弾性リング材と前記鍔部とに亘って軸方向に貫通するように形成された油流路孔であることを特徴とする前記１記載のバランスシャフト用フリクションダンパー。
３．前記油流路部は、前記取付環の前記嵌合面に形成された油流路溝であることを特徴とする前記１記載のバランスシャフト用フリクションダンパー。
【発明の効果】
【００１６】
本発明によれば、リップ摺動面のトルク低下を防止しつつ、潤滑油の軸方向の流路を確保して安定的に流通させることができるバランスシャフト用フリクションダンパーを提供することができる。
【図面の簡単な説明】
【００１７】
【図１】本発明に係るバランスシャフト用フリクションダンパーの一例を示す一部切欠き俯瞰説明図
【図２】図１のＡ−Ａ線断面説明図
【図３】図１、図２に示すフリクションダンパーを装着した状態を示すバランスシャフトの部分断面図
【図４】本発明に係るバランスシャフト用フリクションダンパーの他の一例を示す一部切欠き俯瞰説明図
【図５】図４のＢ−Ｂ線断面説明図
【図６】従来例に係るバランスシャフト用フリクションダンパーを示す一部切欠き俯瞰説明図
【図７】図６のＣ−Ｃ線断面説明図
【発明を実施するための形態】
【００１８】
以下、本発明に係るバランスシャフト用フリクションダンパー（以下、単にフリクションダンパーと称す。）の実施の形態について、図面を参照しながら説明する。
【００１９】
図１は、本発明に係るフリクションダンパーの一例を示す一部切欠き俯瞰説明図、図２は、図１のＡ−Ａ線断面説明図、図３は、図１、図２に示すフリクションダンパーを装着した状態を示すバランスシャフトの部分断面図である。
【００２０】
図１及び図２に示されるフリクションダンパー１は、金属製の取付環１０の内周側に、ゴム状弾性材料で成形された環状の弾性リング材２０を有している。
【００２１】
取付環１０は、例えば鋼板などの金属板をプレス成形することにより製作されたものであり、軸方向に延びる円筒部１１と、その円筒部１１に一体に形成された鍔部１２とからなる。鍔部１２は、円筒部１１の軸方向の一端から径方向内側に延びるように屈曲形成されている。本実施形態において、円筒部１１の外周面は、バランスシャフトの軸部１００の外周に設けられるギア部２００の内周面２０１（図３参照）に嵌着される嵌合面１１ａを形成している。
【００２２】
弾性リング材２０は、鍔部１２から円筒部１１の内周面にかけて、ゴム状弾性材料によって一体に成形されることが好ましい。またゴム状弾性材料は特に限定されないが、圧縮永久歪が小さく、かつ耐摩耗性に優れたものが好ましい。
【００２３】
弾性リング材２０において、取付環１０の嵌合面１１ａと軸方向の反対側に位置する内周面側には、鍔部１２側から先端側に行くに従って径方向の内側に向けて傾斜した形状のリップ部２１を有している。本実施形態において、このリップ部２１の内周面は、バランスシャフトの軸部１００の外周面１０１（図３参照）に対して圧密接されるリップ摺動面２１ａを形成している。
【００２４】
そして、本実施形態において、潤滑油が軸方向に流通することを許容する油流路部３０が、取付環１０の嵌合面１１ａと弾性リング材２０のリップ摺動面２１ａとの間を軸方向に貫通するように形成されている。具体的には、本実施形態における油流路部３０は、取付環１０の嵌合面１１ａと弾性リング材２０のリップ摺動面２１ａとの間において、弾性リング材２０と鍔部１２とに亘って軸方向に貫通するように形成された油流路孔３１によって構成されている。
【００２５】
本実施形態に示す油流路孔３１は、鍔部１２をその内周端からほぼ半円形状に切り欠いていると共に、嵌合面１１ａとリップ摺動面２１ａとの間の弾性リング材２０を軸方向に貫通している。ここで、油流路孔３１は、リップ摺動面２１ａには差し掛かっていないため、潤滑油が油流路孔３１からリップ摺動面２１ａに侵入することはない。これにより、リップ摺動面２１ａにおける潤滑油の侵入に起因するトルク低下のおそれはない。
【００２６】
油流路孔３１は、フリクションダンパー１の周方向に所定の間隔をおいて複数個形成される。油流路孔３１の径は、鍔部１２の大きさやフリクションダンパー１に形成される個数と潤滑油の流通量との関係等に応じて適宜決められる。
【００２７】
油流路孔３１は、図１、図２に示すように、フリクションダンパー１の軸方向と平行に貫通させることによって形成することができるが、これに限定されない。例えば、図示しないが、フリクションダンパー１の軸方向に対して周方向に僅かに傾斜するように角度をつけて貫通させることによって形成してもよい。
【００２８】
かかるフリクションダンパー１は、図３に示すように、エンジンのバランスシャフトの軸部１００と該軸部１００の外周に設けられたギア部２００との間の環状隙間３００に装着される。具体的には、取付環１０の嵌合面１１ａがギア部２００の内周面２０１に嵌着して固定され、弾性リング材２０のリップ部２１がバランスシャフトの軸部１００の外周面１０１に対して径方向に圧縮され、リップ摺動面２１ａが外周面１０１に密接される。
【００２９】
そして、本実施形態において、油流路部３０として油流路孔３１を形成し、従来のように弾性リング材２０のリップ摺動面２１ａに潤滑油の流路となる切欠き部を形成していない。従って、リップ摺動面２１ａは、その全面でバランスシャフトの軸部１００の外周面１０１に対して密接することができる。このとき、潤滑油は油流路孔３１を通って軸方向に流通するが、油流路孔３１はリップ摺動面２１ａを通っていないため、たとえリップ摺動面２１ａがバランスシャフトの軸部１００の外周面１０１に対して摺動しても、リップ摺動面２１ａと外周面１０１との間に潤滑油が侵入することはない。
【００３０】
これらのことにより、フリクションダンパー１は、潤滑油の侵入に起因するリップ摺動面２１ａのトルク低下は防止され、バランスシャフトの軸部１００に対して大きなフリクションを得ることができ、ギア部２００の回転トルクを軸部１００に対して適正に伝達させることができる。
【００３１】
しかも、油流路孔３１は、弾性リング材２０と取付環１０の鍔部１２とに亘って形成されているため、環状隙間３００への装着によってリップ部２１が径方向に圧縮変形されても、油流路孔３１の開口形状は金属製の鍔部１２によって保持され、油流路孔３１が変形して完全に潰れてしまうようなことはない。従って、装着状態において、油流路孔３１によって潤滑油の軸方向の流路を確保でき、潤滑油を安定的に流通させることができる。
【００３２】
次に、本発明に係るフリクションダンパーの他の一例について説明する。
【００３３】
図４は、本発明に係るフリクションダンパーの他の一例を示す一部切欠き俯瞰説明図、図５は、図４のＢ−Ｂ線断面説明図である。図１〜図３と同一符号の部位は同一構成の部位を示しているため、それらについての説明は図１〜図３についての説明を援用し、ここでは省略する。
【００３４】
本実施形態において、潤滑油が軸方向に流通することを許容する油流路部３０は、取付環１０に形成されている。従って、この実施形態においても、リップ摺動面２１ａには潤滑油の流路は形成されない。具体的には、本実施形態における油流路部３０は、取付環１０の嵌合面１１ａに形成された油流路溝３２によって構成されている。油流路溝３２は、取付環１０の円筒部１１の嵌合面１１ａに、該円筒部１１の軸方向の全長に亘って該円筒部１１を横断するように形成されている。
【００３５】
油流路溝３２は、フリクションダンパー１の周方向に所定の間隔をおいて複数個形成される。溝幅は、フリクションダンパー１に形成される個数と潤滑油の流通量との関係等に応じて適宜決められる。また、溝深さは、取付環１０の円筒部１１の厚みよりも浅く形成される。このため、取付環１０の円筒部１１の強度が大きく損なわれるようなことがない。
【００３６】
油流路溝３２は、一般に、取付環１０の円筒部１１の嵌合面１１ａに対して溝を研削加工することによって形成されるが、これに限定されない。例えば、円筒部１１の外周面に、周方向に分断された複数枚のプレートを、周方向に間隔をあけて接着又は溶接することによって、周方向に隣り合うプレート間の溝部を油流路溝３２とするようにしてもよい。なお、この場合、各プレートの外周面によって嵌合面１１ａが形成される。
【００３７】
また、油流路溝３２は、図４、図５に示すように、フリクションダンパー１の軸方向と平行に延びるように形成することができるが、これに限定されない。例えば、フリクションダンパー１の軸方向に対して周方向に僅かに傾斜するように角度をつけて形成してもよい。
【００３８】
本実施形態に係るフリクションダンパー１も、図３に示したエンジンのバランスシャフトの軸部１００と該軸部１００の外周に設けられたギア部２００との間の環状隙間３００に装着されることで、上記と同様に、潤滑油の侵入に起因するリップ摺動面２１ａのトルク低下が防止されると共に、油流路溝３２によって潤滑油の軸方向の流路を確保でき、潤滑油を安定的に流通させることができる効果を得ることができる。
【００３９】
油流路溝３２は、ギア部２００の内周面２０１に対して摺動することがない金属製の取付環１０の嵌合面１１ａに形成されているので、油流路溝３２を流れる潤滑油が嵌合面１１ａに侵入することはない。しかも、取付環１０の嵌合面１１ａに形成された油流路溝３２は、図３に示したように、嵌合面１１ａがギア部２００の内周面２０１に嵌着されて固定された際でも変形することは全くない。このため、潤滑油の軸方向の流路をより安定的に確保することができる。
【００４０】
なお、図示しないが、油流路部３０は、以上説明した油流路孔３１と油流路溝３２との両方を、１つのフリクションダンパー１に形成してもよい。これにより、潤滑油のより大きな流路を確保することができる。
【００４１】
また、上述した各実施形態では、フリクションダンパー１の外周側を取付環１０とし、内周側を弾性リング材２０としたものを例示したが、フリクションダンパー１の外周側を弾性リング材２０とし、内周側を取付環１０とすることにより、取付環１０の内周面を嵌合面１１ａとして、バランスシャフト１００の外周面１０１に嵌着されて固定される構成としても良い。
【符号の説明】
【００４２】
１：バランスシャフト用フリクションダンパー
１０：取付環
１１：円筒部
１１ａ：嵌合面
１２：鍔部
２０：弾性リング材
２１：リップ部
２１ａ：リップ摺動面
３０：油流路部
３１：油流路孔
３２：油流路溝 
【図１】
2016035762.tif 000003
【図２】
2016035762.tif 000004
【図３】
2016035762.tif 000005
【図４】
2016035762.tif 000006
【図５】
2016035762.tif 000007
【図６】
2016035762.tif 000008
【図７】
2016035762.tif 000009
【国際調査報告】
2016035762.tif 000010
2016035762.tif 000011
2016035762.tif 000012
2016035762.tif 000013